【事件の表示】
　上記当事者間の登録第５１４１４９４号商標の登録取消審判事件について、次のとおり審決する。
【結　論】
　登録第５１４１４９４号商標の指定商品中、第３類「せっけん類，化粧品」については、その登録は取り消す。
　審判費用は、被請求人の負担とする。
【理　由】
第１　本件商標
　本件登録第５１４１４９４号商標（以下「本件商標」という。）は、「毛力」及び「モウリョク」の文字を２段に横書きしてなり、平成１９年１２月７日に登録出願、第３類「せっけん類，化粧品，香料類」を指定商品として、平成２０年６月１３日に設定登録されたものである。
　そして、本件審判の請求の登録は、平成２８年４月１８日である。
第２　請求人の主張
　請求人は、結論同旨の審決を求め、その理由及び答弁に対する弁駁を要旨次のように述べ、証拠方法として、甲第１号証及び甲第２号証を提出した。
　１　請求の理由
　本件商標は、その指定商品中の「せっけん類、化粧品」について、継続して３年以上日本国内において、商標権者、専用使用権者又は通常使用権者のいずれも使用した事実が存在しないので、商標法第５０条第１項の規定により取消されるべきものである。
　２　答弁に対する弁駁
（１）乙第１号証の１葉目は、全体的に広告文が記載されており、本件商標の漢字部分の「毛力」が、「ヘアチューンで“毛力”ＵＰ」という文章中にその一部として記載され、２葉目の上方に「４ｅ毛力ＵＰコース」と記載されていることは認める。
　しかしながら、１葉目における「毛力」の表示態様は、「毛の力をアップさせる」という、２葉目及び３葉目に所載の商品である「シャンプー」、「トリートメント」及び「リンス」の広告文中において、前記商品の機能又は効能あるいは効果を単に表しているにすぎず、「毛力」が指定商品に使用されたという証明はされておらず、１葉目における「毛力」の使用は、商標法第２条第３項でいう「商品に使用する」ということができず、したがって、自他商品を識別するために使用するものであるとはいえないものである。すなわち、乙第１号証における「毛力」は、「商標としては全く使用されていない」というべきである。
　さらに、乙第１号証の２葉目に記載された「４ｅ毛力ＵＰコース」についても前記と全く同一で、この「毛力」も「商標として全く使用されていない」というべきである。
（２）被請求人は、乙第１号証は、「商品の宣伝広告として販売代理店や美容院等に配布されるものであり、商標法第２条第３項第８号にいう標章の使用である。」と主張しているが、この乙第１号証では、本件商標を指定商品に使用しているという事実を確認することができず、どうみても乙第１号証に記載された「毛力」は、「毛の力をアップさせる」という商品の広告であって、本件商標が「商標」として乙第１号証に記載された事実は全くないものである。そして、乙第１号証において、敢えて商標ということができるものは、乙第１号証の１葉目の左上の「４ｅマーク」であると考える。これは後述するように、乙第２号証及び乙第３号証の記載から、本件商標権者及び取引業者も前記「４ｅマーク」を商標として捉えているからである。
（３）乙第２号証及び乙第３号証の「注文書」及び「納品書」には、前記「４ｅマーク」を商標として捉え、「４ｅトリートメント」や「４ｅシャンプー」のように記載されているが、本件商標は全く記載されていない。このことは、取引業者である販売代理店や美容院等はもちろんのこと、本件商標権者までもが、乙第１号証に表示された「毛力」を、商標として認識しておらず、単に商品の機能又は効能あるいは効果を表しているにすぎないものであると認識していることになる。
　したがって、乙第１号証に表示された「毛力」は、少なくとも本件指定商品を頻繁に取り扱う販売代理店や美容院等の「注文書」にも記載されていないことは、当然商品の小売等の流通過程においても、商標として使用された事実がないと考えられ、乙第１号証ないし乙第３号証の記載からは、本件商標を指定商品に使用した事実は全く存在しない。
（４）本件商標は、漢字の「毛力」と、片仮名の「モウリョク」とを２段併記して構成されている。本件商標は、被請求人も認めているように造語であるが、商標の構成が一般に漢字と片仮名の２段併記の場合、片仮名部分が漢字部分の「唯一の称呼（読み）」であると社会通念上認められるものであれば、「毛力」のみの使用でも本件商標の使用になるが、本件商標の漢字部分の「毛力」は造語であるから、社会通念上、画一的な「唯一の称呼（読み）」は生じない。具体的には、「毛力」は本件商標のように「モウリョク」という称呼も生じるが、「モウリキ」という称呼も生じ、さらに、乙第１号証の広告内容から判断すると、「ケジカラ」という称呼を生じるものであると解するのが自然である。
　したがって、本件商標は、「毛力」と、複数の称呼のうちの「モウリョク」を選択採用し、両者を２段併記して商標権を取得したものであるから、「毛力」と「モウリョク」の両者を一体にして使用しない限り、「本件商標の使用」にはならないというべきである。
（５）以上述べたように、乙第１号証ないし乙第３号証の記載では、「毛力」は商標として機能していないので、商標として使用されている事実がなく、また、乙第１号証の「毛力」のみの使用では、本件商標の使用ではない。
　したがって、本件商標は、商標法第５０条第１項に該当し、取り消されるべきものである。
第３　被請求人の主張
　被請求人は、「本件審判の請求は成り立たない。審判費用は請求人の負担とする。」との審決を求め、その理由を要旨次のように述べ、証拠方法として、乙第１号証ないし乙第３号証を提出した。
　答弁の理由
　本件商標権者は、本件商標の指定商品中の「せっけん類，化粧品」について、本件審判の請求の登録前３年以内に日本国内において本件商標を使用している。
　１　本件商標は、標準的な書体の漢字及び片仮名で「毛力／モウリョク」と左横書きしてなるものである。
　２　本件商標権者は、主にシャンプー、トリートメント等の美容関連商材を開発、販売する会社であり、美容室、サロン等に商品を販売している。
　本件商標は、髪の生体から生み出される、髪本来の総合的な力という意味合いを暗示するものとして、本件商標権者により考案された造語である。
　本件商標権者は、本件商標が登録となって以後、本件商標権者の開発したシャンプー及びトリートメントを販売するに際し、本件商標を継続して使用している。
　３　乙第１号証は、本件商標権者が商品「シャンプー、リンス、トリートメント」を販売代理店に販売する際に配布しているパンフレットの写しである。パンフレットの表紙には白抜きで大きく目立つ態様で「“毛力”ＵＰ」と記載されており、左下に小さく「“毛力”とは．．．生体が作り出す複合体の力」と記載されている。このように本件商標を引用符号で囲み、他の文字や文章から独立したものとして表示し、商標として本件商標を使用している。このパンフレットは、本件商標権者の開発したシャンプー等の特性を説明するとともに、使用方法、効果、効能をわかり易く図示したものであり、商品「シャンプー、リンス、トリートメント」等を販売する際に、商品の宣伝広告として販売代理店や美容院等に配布されるものである。このように、商品に関する広告に標章を付して展示し、又は頒布する行為は、商標法第２条第３項第８号にいう標章の「使用」に該当する。また、商品「シャンプー」は、第３類「せっけん類」に属するものであり、商品「リンス、トリートメント」は、第３類「化粧品」に属するものであるから、本件商標権者は、上記指定商品について本件商標を使用しているといえる。
　４　乙第２号証及び乙第３号証は、本件商標権者が商品「シャンプー、トリートメント」を販売していることを示す資料であり、具体的には、取引先から本件商標権者に宛てた商品の注文書の写し及び本件商標権者が発行した納品書の控えである。これらの資料が示すように、本件商標権者は、現在まで継続して本件商標の指定商品である「シャンプー、トリートメント」等を販売しており、また、上述のように、当該商品を販売する際に、商品の広告として、乙第１号証に示すパンフレットを配布している。
　５　以上のとおり、本件商標権者は、本件商標を指定商品について継続して使用しているから、本件商標は、商標法第５０条第１項に該当するものではない。
第４　手続の経緯
　審判長は、口頭審理を行うべく、被請求人及び請求人に対し、要旨「被請求人が提出した証拠によっては、商標法第５０条第２項の証明をしたものとは認められない。」旨の暫定的見解や審理事項を示した審理事項通知書の案を平成２８年９月３０日付けでファクシミリで送付し、口頭審理の期日の調整を行ったところ、被請求人からは、平成２８年１０月１８日付けで「答弁書において主張・立証を尽くしたと考えるから、書面審理を希望する。」と述べる上申書が提出され、請求人からは、平成２８年１０月２４日付けで「弁駁書において主張・立証を尽くしたと考えるから、書面審理を希望する。」と述べる上申書が提出されたため、口頭審理に代えて書面審理を行った。
第５　当審の判断
　被請求人は、取消請求に係る指定商品中の化粧品に属する「シャンプー、リンス、トリートメント」に関する広告に本件商標を付して展示又は頒布している旨主張し、その証拠として乙第１号証ないし乙第３号証を提出しているので、以下、検討する。
　１　被請求人の主張及び証拠によれば、次の事実が認められる。
（１）乙第１号証について
　ア　１葉目（表紙）には、左上部に、「ＳＨＡＭＰＯＯ」の文字と「ＴＲＥＡＴＭＥＮＴ」の文字の間に、灰色の円内に、外周に沿って円形に文字を配し、その中に「４ｅ」の文字を記載した表示（以下「『４ｅ』マーク」という。）があり、右下部に、「ＦＲ△ＳＣＯ」（「△」の部分は三角状の図形、以下同じ。）の表示がある。
　そして、中央に「毛力主義」の文字が掠れたように表示され、その右側に、「ヘアチューンで“毛力”ＵＰ↑」、「どんなに良いカットをしても毛髪に“力”が無ければ良いデザインにはなりません。髪の自己修復を促す４ｅシャンプー＆トリートメントでヘアチューンを行えば髪の“毛力”もＵＰし、デザインも決まります！」の記載がある。また、左下部には、左から右に弧状に伸びた矢印と右から左に弧状に伸びた矢印の間に「ＭＯ」と「ＲＹＯＫＵ」の文字を２段に表したマーク（以下「矢印マーク」という。）が表示され、その下に、「“毛力”とは．．．生体が作り出す複合体の力」の記載がある。
　イ　２葉目には、上部に「ＦＲ△ＳＣＯ」の表示と「４ｅ毛力ＵＰコース」の記載があり、左側には、大きく「Ｈａｉｒ　Ｒｅｓｔｏｒａｔｉｏｎ　Ｓｙｓｔｅｍ」の表示があり、「【ツヤ・しなやかコース】」として、シャンプー及びトリートメントについて一連の使用方法が記載されており、右側には、大きく「Ｈａｉｒ　Ｃａｒｅ　Ｓｙｓｔｅｍ」の表示があり、「【ハリ・コシ　コース】」として、シャンプー及びトリートメントの一連の使用方法が記載されている。シャンプー及びヘアートリートメントの使用方法の横には、それぞれ「４ｅ」マークが表示された商品が掲載されている。
　ウ　３葉目には、上部に「４ｅ」マーク、「ヘアー　チューン」、「ｈａｉｒ　ｔｕｎｅ」、「ＣＲＥＡＴＩＶＥ　ＴＥＣＨＮＩＱＥ　ｏｆ　４−ＥＬＥＭＥＮＴ」の記載があり、その下部に、「Ｅｌｅｃｔｒｏｎ　Ｉｎｄｕｃｔｉｏｎ　Ｓｙｓｔｅｍ」、「【育毛コース】」として、シャンプー及びトリートメントについて一連の使用方法が記載されており、右下部には、「ＦＲＡＳＣＯ．ｉｎｃ」及び「ＦＲＡＳＣＯ　２０１６．１」の記載がある。
（２）乙第２号証及び乙第３号証について
　乙第２号証は、平成２７年１１月１８日付け、同年１２月１５日付け、２０１５年１２月２４日付け及び２０１６年１月７日付けの取引先から本件商標権者宛ての注文書又は発注書であり、乙第３号証は、乙第２号証の注文又は発注に対応した２０１５年１１月１８日付け、同年１２月２１日付け、同月２４日付け及び２０１６年１月８日付けの本件商標権者から取引先宛ての納品書である。
　これらには、「商品名」又は「商品名称」欄に「４ｅトリートメント」、「４ｅｌｅｍｅｎｔ　トリートメント」、「４―エレメントシャンプー」、「４ｅｌｅｍｅｎｔシャンプー」、「４エレメント　トリートメント」、「４ｅヘアチューン」、「４ｅトリートメント資料」、「４―エレメントヘアチューン」、「梱包資料：４ｅｌｅｍｅｎｔヘアチューン」「４エレメント　資料」などの記載がある。
　２　判断
（１）乙第１号証について
　上記１（１）及び（２）からすると、乙第１号証は、本件商標権者の取り扱うシャンプー及びトリートメントの使用方法などを説明するパンフレットであって、当該パンフレットは、本件審判の請求の登録前３年以内である平成２７年（２０１５年）１１月、同年１２月及び平成２８年（２０１６年）１月に、取引先からの「４―エレメントシャンプー」、「４ｅｌｅｍｅｎｔシャンプー」、「４ｅトリートメント」又は「４ｅｌｅｍｅｎｔ　トリートメント」などと商品名欄に記載されたシャンプー及びトリートメントの注文（発注）に対して、商品と共に取引先に納品されたと認められる（乙２、乙３）。
（２）本件商標の使用について
　被請求人は、乙第１号証の表紙において、「“毛力”ＵＰ」や「“毛力”とは、・・・」のように本件商標を引用符で囲んで使用していることから、本件商標が使用されている旨主張している。
　しかしながら、乙第１号証の１葉目（表紙）において、「ヘアチューンで“毛力”ＵＰ↑」、「どんなに良いカットをしても毛髪に“力”が無ければ良いデザインにはなりません。髪の自己修復を促す４ｅシャンプー＆トリートメントでヘアチューンを行えば髪の“毛力”もＵＰし、デザインも決まります。」、「“毛力”とは．．．生体が作り出す複合体の力」の記載があるが、これらの記載中の「毛力」の文字は、他の文字や文章ととともにいずれもシャンプー等の広告文章や一連の広告フレーズ中に記載されたものであって、「毛髪の力」程の意味を説明したものと理解させるにすぎないから、当該「毛力」の文字部分をもって、シャンプー等の商品の広告に本件商標が付されているということができない。
　また、乙第１号証の１葉目（表紙）には、「毛力主義」の記載や矢印マークの表示があるので、これらについてみると、本件商標は、「毛力」及び「モウリョク」の文字を２段に横書きしてなり、「モウリョク」の称呼が生じ、「毛の力」ほどの観念を生じるものである。
　他方、「毛力主義」の文字は、本件商標とは構成文字が相違するから、本件商標と社会通念上同一の商標といえないものである。
　また、矢印マークは、矢印と「ＭＯ」及び「ＲＹＯＫＵ」の文字がまとまりよく表されて一体のものと理解されるものであり、文字部分からは、特定の観念を生じないものである。そうすると、矢印マークは、本件商標とは、構成や観念が相違するから、社会通念上同一の商標といえないものである。
（３）小括
　以上のとおり、被請求人の提出に係る証拠によっては、本件審判の請求の登録前３年以内に、本件商標権者が本件商標（社会通念上同一のものを含む。）を「シャンプー、リンス、トリートメント」の広告に使用したということができない。　　
　３　むすび
　以上のとおりであるから、被請求人は、本件審判の請求の登録前３年以内に日本国内において、本件商標権者、専用使用権者又は通常使用権者のいずれかがその請求に係る指定商品について、本件商標（社会通念上同一のものを含む。）の使用をしたことを証明したということはできない。
　また、被請求人は、本件商標の使用をしていないことについて正当な理由があることを明らかにしていない。
　したがって、本件商標の登録は、その指定商品中、第３類「せっけん類，化粧品」について、商標法第５０条の規定により、取り消すべきものである。
　よって、結論のとおり審決する。